(57)【特許請求の範囲】
【請求項１】
断面Ｌ字状の、見付け面部及び天面部をもった補修用Ｌ型化粧材であって、スペーサー挿入部となる凹溝を、見付け面部の裏面側にＬ字の折曲部に沿って、凹溝の上側の側壁が天面部の裏面と一致するように設けて成る、既存の玄関框の上に配設される補修用Ｌ型化粧材。
【請求項２】
請求項１記載のリフォーム用Ｌ型化粧材を既存の玄関框の上にスペーサを介して設け、前記天面部の後縁端に釘等の固定具を既存の玄関框の上面に向けて斜めに打ち込んでスペーサとともにＬ型化粧材を固着してなるＬ型化粧材の施工構造。
【発明の詳細な説明】
【０００１】
【発明の属する技術分野】
本発明は、玄関框の補修用部材等に使用して最適な、Ｌ型化粧材及びその製造方法及びその施工構造に関するものである。
【０００２】
【従来の技術】
従来から、住宅のリフォームに使用される玄関框の補修用部材は、図９（ａ）に示す如く、例えば、Ｌ型化粧材Ａの見付け面部２が天面部３より厚くなるよう、異なる厚み有するように見付け面部２と天面部３とを別々に形成し、断面Ｌ字状に組み立てて形成していた。
【０００３】
したがって、上記Ｌ型化粧材Ａは、天面部３及び見付け面部２へ接着剤が塗布されて図９（ｂ）に示すように既存の玄関框１３へ固着され、見付け面部２の強度が確保されて割れあるいは反り等が発生すること無く玄関框１３の補修を行うことが出来る。
【０００４】
【発明が解決しようとする課題】
しかしながら、上記従来の技術においては、上記の如く玄関框１３を補修しようとした場合、天面部３に連設される床材１５の各種の板厚に対応させるために、厚さの異なる天面部３を有するＬ型化粧材を複数準備する必要があり、在庫管理に手間がかかるという問題があった。また、Ｌ型化粧材Ａの組立に手間がかかり、その結果、高いコストがかかるという問題もあった。
【０００５】
本発明は、上記事由に鑑みてなしたもので、その目的とするところは、玄関框の補修用として使用して各種厚みの床材に対応出来て、また、美観良く施工可能なＬ型化粧材及びその製造方法及びその施工構造を提供することにある。
【０００６】
【課題を解決するための手段】
上記目的を達成するために、請求項１記載の補修用Ｌ型化粧材は、断面Ｌ字状の、見付け面部及び天面部をもった補修用Ｌ型化粧材であって、スペーサー挿入部となる凹溝を、見付け面部の裏面側にＬ字の折曲部に沿って、凹溝の上側の側壁が天面部の裏面と一致するように設けて成る、既存の玄関框の上に配設される補修用Ｌ型化粧材。
【０００７】
したがって、この場合、天面部に連設される補修用の重ね貼り床材の板厚が、天面部の板厚より厚い場合には、Ｌ型化粧材の凹溝にスペーサーを挿入した後、既存の框に見付け面部裏面及びスペーサーの一面を当接させて配設することで、各種厚みの床材に対応出来るものとなる。
【０００８】
また、請求項２記載のＬ型化粧材の施工構造は、請求項１記載のリフォーム用Ｌ型化粧材を既存の玄関框の上にスペーサを介して設け、前記天面部の後縁端に釘等の固定具を既存の玄関框の上面に向けて斜めに打ち込んでスペーサとともにＬ型化粧材を固着してなる。
【００１３】
したがって、この場合、見付け面部及び天面部をもった断面Ｌ字状のＬ型化粧材が、スペーサとともに、その天面部の後縁端に釘等の固定具を斜めに打ち込まれて、既存の玄関框の上面に向け固着され設置される。
【００１４】
【発明の実施の形態】
図１乃至図５は、本発明を説明するための図である。
【００１５】
［実施の形態］図１は、本発明の請求項１に係る実施の形態のＬ型化粧材の概略構成を示す断面図である。図２は、同Ｌ型化粧材の製造方法を示す説明図である。図３は、本発明の請求項２に係るＬ型化粧材の施工構造を示す概略構成図である。図４は、同Ｌ型化粧材の施工構造を示す説明図である。図５は、本発明の請求項１に係る実施の形態のＬ型化粧材の他の実施例の概略構成を示す断面図である。
【００１６】
この実施の形態のＬ型化粧材１は、住宅のリフォームなどの補修用として使用されるものである。Ｌ型化粧材１は、断面Ｌ字状の、見付け面部２及び天面部３をもったＬ型化粧材１であって、スペーサー挿入部となる凹溝４を、見付け面部２の裏面側にＬ字の折曲部５に沿って、凹溝４の上側の側壁が天面部３の裏面と一致するように設けて成る。
【００１７】
また、該実施の形態のＬ型化粧材１の製造方法は、その一面に可撓性シート７を有する平板状化粧材６の他面側に、スペーサー挿入部となる凹溝４とＬ字状に折曲用の溝部８とを並設し、折曲用の溝部８を折り曲げて接着して見付け面部２及び天面部３をもたせて断面Ｌ字状に形成している。
【００１８】
また、該実施の形態のＬ型化粧材１の施工構造は、天面部３を、既存の玄関框１３の上面に向けて、その後縁端に釘等の固定具を斜めに打ち込んで固着してなる。
【００１９】
詳しくは、Ｌ型化粧材１は、住宅のリフォームに使用される玄関框の補修用部材で、この場合、図２（ａ）に示すような、可撓性シート７にて一面が被覆された長尺平板状の化粧材６を、見付け面部２及び天面部３の各表面になる側が可撓性シート７側の面となるように、まず、図２（ｂ）に示すように、その裏面の折曲すべき箇所を、長手方向にわたり縦断して、その表面側が玄関框の角の面取り部となる、三角突部８１を残してその底部が可撓性シート７部分に達する溝部８と、所定巾寸法で所定深さの凹溝４とを刻設する。溝部８には、Ｌ字の折曲時に接着面となる傾斜面から突部８２及びこの突部８２に対応する控え部８３が形成されている。また、この場合、凹溝４は、Ｌ字の折曲後にて、見付け面部２の裏面側にＬ字の折曲部５に沿って、凹溝４の上側の側壁が天面部３の裏面と一致するように見付け面部２側裏面に溝部８に沿って並設されている。
【００２０】
次いで、溝部８の略全面にわたって、例えば熱硬化性接着剤を塗布し、その後、Ｌ字状に折曲し保持しながら可撓性シート７が溶融しない程度の適切な温度にて加熱し、図１に示すようなＬ型化粧材１を形成する。なお、上記の化粧材６は、玄関框の補修に使用した場合の見付け面部としての強度を確保しうる厚さを有している。
【００２１】
上記のＬ型化粧材１は、玄関框１３を補修しようとした場合、図３（ａ）に示すように、天面部３に連設されて、既存の床材１４の上面に貼着される補修用の重ね貼り床材１５の板厚が、天面部３の板厚と略同一の場合は、Ｌ型化粧材１を既存の框１３に見付け面部２及び天面部３の裏面を当接させて、例えば接着剤を用いて貼着し固定する。なお、この場合、接着剤固定した後、より確実に美観良く固定するため、図３（ａ）に示す如く、天面部３の後縁端にフィニッシュネイルと呼ばれている頭無し釘等の固定具１６を、例えば１５０ｍｍ〜２００ｍｍ間隔にて斜めに打ち込んで既存の玄関框１３の上面に向けて固着し設置しており、天面部３の浮きが防止される。
【００２２】
また、天面部３に連設される補修用の重ね貼り床材１５の板厚が、天面部３の板厚より厚い場合には、Ｌ型化粧材１の凹溝４に長尺平板状のスペーサーとして、例えば木材板９を挿入して接着した後、既存の框１３に見付け面部２裏面及び木材板９の一面を当接させて、例えば接着剤を用いて貼着固定した後、図３（ｂ）に示す如く、上記固定具１６を斜めに打ち込んで既存の玄関框１３の上面に向けて木材板９とともに固着し設置している。なお、木材板９の板厚は、補修用の重ね貼り床材１５の板厚に対応させ、凹溝４の巾寸法以下の適切な板厚のものを選択出来る。
【００２３】
なお、この場合、上記の手順にて既存の玄関框１３の表面にＬ型化粧材１を設けた後、図４に示すように、その天面部３の両端に木ねじ１７を設け、その木ねじ１７の頭部を覆うようにして巾木１８を取り付けて全ての固定具が外面に露出しないようにしている。
【００２４】
したがって、以上説明したＬ型化粧材１によると、見付け面部２及び天面部３をもった断面Ｌ字状のＬ型化粧材１の、見付け面部２の裏面側にＬ字の折曲部５に沿って、凹溝４の上側の側壁が天面部３の裏面と一致するように設けられた凹溝４に木材板９を挿入させて設置することが出来るので、玄関框１３の補修用として使用して各種厚みの床材１５に容易に対応して玄関框１３の補修が出来る。
【００２５】
また、以上説明したＬ型化粧材１の製造方法によると、Ｌ型化粧材１のスペーサーである木材板９挿入部となる凹溝４が、その一面に可撓性シート７を有する平板状化粧材６の他面側に、Ｌ字状に折曲用の溝部８とともに並設され、折曲用の溝部８を折り曲げて接着されて見付け面部２及び天面部３をもたせられて断面Ｌ字状に形成されるので、平板状の化粧材６へ凹溝４を形成出来、以て、容易にその加工を行うことが出来る。
【００２６】
また、以上説明したＬ型化粧材１の施工構造によると、見付け面部２及び天面部３をもった断面Ｌ字状のＬ型化粧材１が、その天面部３の後縁端に釘等の固定具１６を斜めに打ち込まれて、既存の玄関框１３の上面に向け固着され設置されるので、より確実に美観良く固定出来る。
【００２７】
なお、本発明のＬ型化粧材は、上記の製造方法による上記のＬ型化粧材１の他、例えば図５に示す如く、見付け面部２及び天面部３を一体形成して凹溝４を設けたものであっても良い。
【００２８】
［参考例］図６は、参考例としてのＬ型化粧材の概略構成を示す断面図である。図７は、同Ｌ型化粧材の製造方法を示す説明図である。図８は、同Ｌ型化粧材の施工構造を示す概略構成図である。
【００２９】
このＬ型化粧材は、見付け面部及び天面部の凹溝の構成のみが実施の形態と異なるもので、他の構成部材は実施の形態のものと同一で、この参考例の形態のＬ型化粧材１０は、スペーサー挿入部となる凹溝１１を、Ｌ字の折曲部５裏面に沿って見付け面部２の裏面から天面部３の裏面へ向けて食い込むように設けたことを特徴とする。
【００３０】
詳しくは、Ｌ型化粧材１０は、住宅のリフォームに使用される玄関框の補修用部材で、前述の、可撓性シート７にて一面が被覆された長尺平板状の化粧材６を、見付け面部２及び天面部３の各表面になる側が可撓性シート７側の面となるように、まずその裏面の折曲すべき箇所を、長手方向にわたり縦断して、その表面側が玄関框の角の面取り部となる、三角突部８１を残してその底部が可撓性シート７部分に達する溝部８と、所定巾寸法で所定深さの凹溝４とを刻設する。この場合、溝部８は前述と同様で、凹溝４は、Ｌ字の折曲後にて、Ｌ字の折曲部裏面に沿って見付け面部２の裏面から天面部３の裏面へ向けて食い込むように天面部３側裏面に溝部８に沿って並設された後、図７に示すように、Ｌ型化粧材１０を形成する。
【００３１】
なお、このＬ型化粧材１０に使用される化粧材６は、実施の形態のものより薄い板厚のものを用いることが出来る。そして、図６に示す如く、例えば玄関框１３の補修に使用する際に、見付け面部としての強度を確保しうる厚さとなるように、Ｌ型化粧材１０の凹溝１１に長尺平板状の補強用のスペーサーとして、例えば、凹溝１１の巾より僅かに小さい厚さをもった長尺状の木材板１２を挿入して接着する。
【００３２】
以上説明したＬ型化粧材１０は、図８に示すように、天面部３に連設されて、既存の床材１４の上面に貼着される補修用の重ね貼り床材１５の板厚が、天面部３の板厚と略同一の場合に、玄関框１３を補修する際に使用される。すなわち、Ｌ型化粧材１０を既存の框１３に見付け面部２裏面側に設けられた木材板１２及び天面部３の裏面を当接させて、例えば接着剤を用いて貼着固定した後、より確実に美観良く固定するため、実施の形態のものと同じく、天面部３の後縁端に固定具１６を、例えば１５０ｍｍ〜２００ｍｍ間隔にて斜めに打ち込んで既存の玄関框１３の上面に向けて固着し設置している。
【００３３】
したがって、以上説明したＬ型化粧材１０によると、見付け面部２及び天面部３をもった断面Ｌ字状のＬ型化粧材１０の、Ｌ字の折曲部裏面側に、見付け面部２の裏面から天面部３の裏面へ向けて食い込むように設けられた凹溝１１に木材板１２を挿入させて設置することが出来るので、薄い板厚の化粧材６を溝加工してＬ型化粧材１０を形成出来、以て、安いコストにて玄関框の補修用部材を提供出来るという効果を奏する。
【００３４】
【発明の効果】
上述の如く、本発明の請求項１記載の補修用Ｌ型化粧材は、凹溝を、見付け面部の裏面側にＬ字の折曲部に沿って、凹溝の上側の側壁が天面部の裏面と一致するように設けて成るので、凹溝にスペーサーを挿入させて設置することが出来、容易に各種厚みの床材に対応して玄関框の補修が出来る。
【００３７】
また、請求項２記載のＬ型化粧材の施工構造は、請求項１記載のものの効果に加え、見付け面部及び天面部をもった断面Ｌ字状のＬ型化粧材が、スペーサとともに、その天面部の後縁端に釘等の固定具を斜めに打ち込まれて、既存の玄関框の上面に向け固着され設置されるので、より確実に美観良く固定出来るという効果を奏する。
【００３８】
【図面の簡単な説明】
【図１】本発明の、第１の実施の形態のＬ型化粧材の概略構成を示す断面図である。
【図２】同Ｌ型化粧材の製造方法を示す説明図である。
【図３】同Ｌ型化粧材の施工構造を示す概略構成図である。
【図４】同Ｌ型化粧材の施工構造を示す説明図である。
【図５】同Ｌ型化粧材の他の実施例の概略構成を示す断面図である。
【図６】参考例のＬ型化粧材の概略構成を示す断面図である。
【図７】同Ｌ型化粧材の製造方法を示す説明図である。
【図８】同Ｌ型化粧材の施工構造を示す概略構成図である。
【図９】本発明の従来例のＬ型化粧材である玄関框を示す説明図である。
【符号の説明】
１    Ｌ型化粧材
２    見付け面部
３    天面部
４    凹溝
５    折曲部
６    化粧材
７    可撓性シート
８    溝部
９    木材板（スペーサー）
１０  Ｌ型化粧材
１１  凹溝
１２  木材板（スペーサー）
１６  固定具
【図１】
0004151156.tif 000002
【図２】
0004151156.tif 000003
【図３】
0004151156.tif 000004
【図４】
0004151156.tif 000005
【図５】
0004151156.tif 000006
【図６】
0004151156.tif 000007
【図７】
0004151156.tif 000008
【図８】
0004151156.tif 000009
【図９】
0004151156.tif 000010